(57)【要約】【目的】電熱マットの敷設から床仕上げまでの一連の作業を大工工事だけで一貫して行うことができるような新規の構成を有する床暖房装置を提供する。【構成】電気ヒーター線を蛇行状に設けた電熱マット１ａ，１ｂと、電熱マット上に設けられる暖房用床板２と、電熱マットを制御するコントローラ３と、電熱マットとコントローラとを電気的に接続するケーブル４，５（，２６）と、コントローラを介して電熱マットに通電試験用の電力を供給する先端プラグ８付きの電源コード７とを備えた床暖房装置であり、ケーブルは、先端にコネクタ２７を備えた電熱マット側ケーブル（２７）と、先端にコネクタ６を有するコントローラ側ケーブル５とを有してなり、これらコネクタ５，２７同士を直接接続可能であるとともに、延長コード４を介しても接続可能である。【選択図】      図１
2005061163.tif 000002
【特許請求の範囲】
【請求項１】
電気ヒーター線を蛇行状に設けた電熱マットと、電熱マット上に設けられる暖房用床板と、電熱マットを制御するコントローラと、電熱マットとコントローラとを電気的に接続するケーブルと、コントローラを介して電熱マットに通電試験用の電力を供給する先端プラグ付の電源コードとを備え、ケーブルは、各々先端にコネクタを備えた電熱マット側ケーブルとコントローラ側ケーブルとを有してなり、これらコネクタ同士が相互に直接接続可能であり且つ別途用意した延長ケーブルを介して接続可能であることを特徴とする床暖房装置。
【発明の詳細な説明】
【技術分野】
【０００１】
本発明は床暖房装置に関する。
【背景技術】
【０００２】
従来、床暖房装置としては、たとえば下記特許文献１に記載されるように、内側を矩形状に切り取った中間敷きを床基体上に敷き詰め、この切り取り部分に電気カーペット本体を置き、さらに、この電気カーペット本体および中間敷きの上に上敷きを敷き詰めて構成されるものが知られている。この従来技術では、電気カーペットのオン・オフスイッチ、暖房の強弱、加熱箇所の選択などを行うためのコントローラが、電気コードを介して、その本体から離れた位置に設けられる。
【特許文献１】特開平９−１３７９５４号公報
【０００３】
また、別の床暖房装置として、下記特許文献２には、下面にアルミニウム箔を接着した方形状の珪酸カルシウム板の上面に、サーモスタットにより設定温度に制御されるシート状発熱体を接着し、その上面にガラス繊維を格子状に繊成したガラスシートを接着し、さらにその上面に肉薄の自然石板または疑石板を接着して構成されるものが知られている。サーモスタットはシート状発熱体に設けられた電気コードに接続されている。
【特許文献２】実公昭６２−４２４６１号公報
【発明の開示】
【発明が解決しようとする課題】
【０００４】
床暖房装置を部屋に設置するには、たとえば、電気カーペットやシート状発熱体などの発熱体の敷設、発熱体の通電試験、発熱体上への仕上げ床板の敷設、コントローラの取付・配線などの工事を伴い、大工が行う大工工事と、有資格者でなければ行うことができない電気工事とが含まれ、しかもこれらが錯綜して行われることが多いため、互いの進捗状況を見計らって作業を行わなければならず、効率が悪いものであった。
【０００５】
したがって、本発明の課題は、大工工事および電気工事を含む種々の工事が要求される床暖房装置の設置において、電熱マットの敷設から床仕上げまでの一連の作業を大工工事だけで一貫して行うことができるような新規の構成を有する床暖房装置を提供することにある。
【課題を解決するための手段】
【０００６】
上記の課題を達成するため、本発明による床暖房装置は、電気ヒーター線を蛇行状に設けた電熱マットと、電熱マット上に設けられる暖房用床板と、電熱マットを制御するコントローラと、電熱マットとコントローラとを電気的に接続するケーブルと、コントローラを介して電熱マットに通電試験用の電力を供給する先端プラグ付の電源コードとを備え、ケーブルは、各々先端にコネクタを備えた電熱マット側ケーブルとコントローラ側ケーブルとを有してなり、これらコネクタ同士を直接接続可能であり且つ別途用意した延長ケーブルを介して接続可能であることを特徴とする。
【０００７】
電熱マットは、弾力性を有するマット上に電気ヒーター線を蛇行状に配置してなる。さらに電気ヒーター線に沿って同じく蛇行状に感熱線を設けることが好ましい。感熱線を設けることにより、電気ヒータ線の過熱を防止することができる。マット内を蛇行状に配線される電気ヒータ線および感熱線は、電熱マットに設けられる配線ボックスに出入する。電熱マットには、さらに、電気ヒータ線および感熱線と重ならない位置において細長状または短冊状の薄板（小根太）を電熱マット上に設けておくことが好ましく、これにより上からの荷重がヒータ線や感熱線に直接作用することを防止して、ヒーター線および感熱線を保護する。
【０００８】
配線ボックスは、電熱マット側のヒータ線および感熱線を、通常の電気配線材料で形成されるケーブルに電気的に接続する切替手段としての役目をも果たす。
【０００９】
配線ボックスとコントローラとを連結するケーブルは、各々先端にコネクタを備えた電熱マット側ケーブルとコントローラ側ケーブルとを有してなり、これらコネクタ同士が相互に直接接続可能であり且つ別途用意した延長ケーブルを介して接続可能である。
【００１０】
コントローラは、電熱マットのオン・オフ、暖房の強弱、過熱箇所の選択、ヒータ線の過熱防止などの制御を行う。また、コントローラからは電熱マットに通電試験用の電力を供給する電源コードが引き出され、電源コードの先端にはプラグが設けられているので、電気工事の資格を持たない大工が電熱マットを敷設した後に、引き続き、プラグを別途準備した工事用コンセントに差し込むことによって通電試験を行うことができる。電源コードを連結するコントローラ側にはスクリューレス端子を設けると良い。こうすると、大工が電熱マットの通電試験を行った後、電気工事者が電気配線工事を行うときに電源コードを簡単に外すことができ、作業効率が向上する。
【発明の効果】
【００１１】
上記構成によると、電熱マットとコントローラとを電気的に接続するケーブルに、着脱自在なコネクタが設けられているので、電気の有資格者でない者でも電熱マットとコントローラとをケーブルで連結することができる。さらに、コントローラから引き出される電源コードにプラグが設けられているので、このプラグを介して電源に接続することにより、電気の有資格者でない者でも電熱マットの通電試験を行うことができる。したがって、電熱マットの敷設から床仕上げまでの一連の作業を大工工事だけで一貫して行うことができる。
【００１２】
電熱マットとコントローラは、ケーブルのコネクタを外すことにより分離することができるので、電熱マットを下地材上に位置決めするとともに、そのケーブルを床下に配線するか、または床板の裏側に設けた溝に沿って配線して壁内に導き、この電熱マット側ケーブルをコントローラ側のケーブルとコネクタを介して電気的に接続することができるので、結線作業が容易である。
【００１３】
また、延長ケーブルを別途準備して、この延長ケーブルおよびコネクタを介して電熱マット側ケーブルとコントローラ側ケーブルとを電気的に接続するようにすれば、コントローラを任意の箇所に取り付けることができるので、使い勝手が良い。
【００１４】
また、電熱マットまたはコントローラが故障したときは、故障した側のケーブルをコネクタから外すことでその機器または部品を取り外して修理することができる。
【発明を実施するための最良の形態】
【００１５】
本発明による床暖房装置の一実施形態について、以下、添付図を参照して説明する。
【００１６】
図１〜図１１を参照して、この床暖房装置は、各々電気ヒータ線が蛇行状に設けられた一対の電熱マット１ａ，１ｂが左右対称に設けられてなる電熱マット１と、この電熱マット１の上に敷設される暖房用床板２と、電熱マット１を制御するコントローラ３と、電熱マット１とコントローラ３とを電気的に接続するケーブル４，５とを備えている。コントローラ３からは電源コード７が引き出され、電源コード７の先端にはプラグ８が設けられる。電源コード７は、コントローラ３に設けたスクリューレス端子に抜き差し可能に接続されており、最終的に電気工事者が電気配線工事を行うときに簡単に取り外すことができる。
【００１７】
電熱マット１（１ａ，１ｂ）は、弾力性を有する不織布１１を基材とし、この上に電気ヒーター線１２および感熱線１３を貼着し、さらにこれらの上に接して積層体１４を積層して構成されている（図８）。積層体１４の一例は、不織布などで形成される表裏のシート１４ａ，１４ｂの間に熱伝導性および可撓性を有するアルミニウム箔１４ｃを挟んで積層貼着一体化した３層構造である（図９）。積層体１４は、ヒーター線１２および感熱線１３を介して不織布１１の全面に設けられ、ヒーター線１２が発生した熱を平面的に分散させて効率良く暖房用床板２に伝達させるために用いられる。
【００１８】
電熱マット１（１ａ，１ｂ）には、縦長状の薄板である複数の小根太１５が互いに平行に接着されている。小根太１５は細長状または短冊状であって、電熱マット１の表面に設けられている積層体１４と暖房用床板３との間に配置される。小根太１５の材質としては、合板、木質板、木質繊維板（ＭＤＦなど）、木削片板、単板積層板などの木質系を使用することができる。さらに、小根太１５は、ヒーター線１２および感熱線１３と重ならないように配置され、積層体１４および不織布１１を介して木ねじ（ビス）１６により下地材１７に固定される（図８）。この場合、不織布１１が弾力性を有するので、小根太１５の下に位置する不織布１１は圧縮された状態にある。小根太１５は、電熱マット１の中心に対して点対称の位置関係にあり、また、電熱マット１の縁を基準にして図示のように千鳥状に配置される。下地材１７の材料は、たとえば合板、木質板、木質繊維板（ＭＤＦなど）などの木質系を使用し、その厚みはたとえば１５ｍｍである。下地材１７は根太２４上に敷設され、根太２４間には断熱材２５が充填されている。
【００１９】
電熱マット１のヒーター線１２は、小根太１５，１５間に蛇行状に貼着される（図７）。感熱線１３（図７には図示せず）は、小根太１５の近傍で且つヒーター線１２に沿って設けられるが、ヒーター線１２と重ならないように配置される（図８）。感熱線１３は、ヒーター線１２による異常過熱を感知し防止する作用を果たす。
【００２０】
暖房用床板３は基材の表面に化粧材を貼着して構成され、その長手方向に沿って雄実２０ａ（図４）および雌実２０ｂ（図５）が形成されている。基板は、合板、木質板、木質繊維板（ＭＤＦなど）、木削片板、単板積層板などの木質系、スチロール樹脂板、塩化ビニル樹脂板、強化プラスチック板、発泡スチロール樹脂板、発泡ウレタン樹脂板などの合成樹脂系、または木質系と合成樹脂系との複合積層板などからなる。このような基板上に貼着する化粧材としては、天然木材を切削して得られる天然突板、人工突板、不織布、紙、合成樹脂シートなどを用いることができ、可撓性を有する材料のシートに各種模様を印刷したものを用いてもよい。化粧材として用いる合成樹脂シートとしては、たとえばオレフィン樹脂、塩化ビニル樹脂、ポリエステル樹脂、アクリル樹脂などを用いることができる。化粧材の厚さはたとえば０．０５〜１ｍｍの範囲で決定される。
【００２１】
一例として、９ｍｍ厚の合板を基材としてその表面に上記のような任意化粧材を貼着して得られる化粧板を暖房用床板３として用いることができる。電熱マット１が施工されない部分には、電熱マット１の厚み（この実施形態では３ｍｍ）と同厚の合板からなる周辺パネル１０が下地材１７上に枠状に施工される。この場合、後述する周辺床板１８ａ，１８ｂおよび調整床板１９ａ，１９ｂはいずれも１２ｍｍ厚の合板を基材としてその表面に化粧材貼着などによる任意化粧が施されたものである。いずれも化粧は図示省略されている。なお、化粧材はきわめて薄いものであるのでその厚さを無視し、各床板の厚さは上記合板基材の厚さと等しいものとする。
【００２２】
暖房用床板２の外側には、１２ｍｍ厚の調整床板１９ａ，１９ｂを介して、部屋の壁位置まで１２ｍｍ厚の周辺床板１８ａ，１８ｂが設けられる。周辺床板１８ａ，１８ｂおよび調整床板１９ａ，１９ｂには、暖房用床板２と同様に、それらの長手方向に沿って雄実および雌実が形成されている（図４，図５）。
【００２３】
前述のように暖房用床板２の厚さは９ｍｍであるが、その下方に設けられる小根太１５および電熱マット１の合計厚（より厳密に言えば、小根太１５の下方に不織布１１と積層体１４が重なり合って不織布が圧縮された状態で配置されたときのこれらの合計厚）が３ｍｍとなるように設定されているので、下地材１７表面から暖房用床板２表面までの見掛け上の厚さは１２ｍｍとなり、周辺床板１８ａ，１８ｂおよび調整床板１９ａ，１９ｂの厚さと同一である。また、この実施形態においては、下地材１７上に電熱マット１を取り囲むように枠状に合板などからなる周辺パネル１０（図６では斜線部）が配置されており、この周辺パネル１０の厚さが３ｍｍとされることによって、周辺パネル１０と暖房用床板２の合計厚が１２ｍｍとなり、周辺床板１８ａ，１８ｂおよび調整床板１９ａ，１９ｂの厚さと同一である。周辺パネル１０が暖房用床板２の四周縁に略密接して設けられることにより、床板の耐荷重性や耐キャスター性が良好となる。
【００２４】
暖房用床板２の長手方向に延長する両側縁の一方には雄実２０ａが形成されるとともに、他側縁には雌実２０ｂが形成され、これら雄実２０ａおよび雌実２０ｂ同士の嵌合を介して暖房用床板２，２同士を横継ぎ連結して施工することができる。
【００２５】
調整床板１９ａの長手方向に延長する両側縁の一方には、暖房用床板２が電熱マット１（および周辺パネル１０）上に載置された状態でその雄実２０ａを嵌合する雌実２１ｂが形成されるとともに、他側縁には、周辺床板１８ａの長手方向に延長する一側縁に形成された雌実２２ｂに嵌合する雄実２１ａが形成される（図４）。また、調整床板１９ｂの長手方向に延長する両側縁の一方には、暖房用床板２が電熱マット１（および周辺パネル１０）上に載置された状態でその雌実２０ｂに嵌合する雄実２３ａが形成されるとともに、他側縁には、周辺床板１８ｂの長手方向に延長する一側縁に形成された雄実２２ａを嵌合する雌実２３ｂが形成される（図５）。周辺床板１８ａ，１８ｂおよび調整床板１９ａ，１９ｂはすべて同厚であるので、これらを連結するための雄実２１ａと雌実２２ｂ，雄実２２ａと雌実２３ｂは、床板の厚さ方向において同一の高さ位置に形成されているが、調整床板１９ａ，１９ｂにおける実２１ｂ，２３ａは、電熱マット１（および周辺パネル１０）上に載置された状態でその実２０ａ，２０ｂに対して嵌合するような高さ位置に形成され、板厚の異なる暖房用床板２との連結を可能にしている。
【００２６】
以下特に図１０および図１１を参照して、電熱マット１を構成する左右一対の電熱マット１ａ，１ｂには一つの共通の配線ボックス９が設けられて、配線ボックス９からは、先端にコネクタ２７を有する電熱マット側のケーブル２６が引き出されている。電熱マット側ケーブル２６はコネクタ２７を介して延長ケーブル４と電気的に接続され、さらにコネクタ６を介してコントローラ側のケーブル５と電気的に接続される。電気マット側ケーブル２６は、下地材１７に開けた孔２８を通って床下に導かれ、該床下でコネクタ２７を介して延長ケーブル４と接続することができる。延長ケーブル４は孔２８から下地材１７上に導かれた後、調整床板１９ｂおよび周辺床板１８ｂ（必要に応じて複数枚用いられる）の裏側に形成した溝２９を通って壁内に導かれる。この実施形態における壁３０は、間柱３１などの壁下地上に壁材３２を施工し、その下端に幅木３３を釘３４で固定した構成を有するものとして示されている。
【００２７】
延長ケーブル４は適宜固定金具３５で壁下地に固定して任意の高さ位置まで引き上げられた後、コネクタ６を介してコントローラ側のケーブル５と電気的に接続される。延長ケーブル４を壁内に配線する場合、幅木３３を釘３４で打ち付けたときに釘によって損傷しないよう、壁面から離れた位置を通るように配線する。なお、図１０および図１１では延長ケーブル４を調整床板１９ｂおよび周辺床板１８ｂの裏側に形成した溝２９に通して壁に導くようにしているが、このような溝を形成せず、床下から直接壁に導くようにしてもよい。
【００２８】
以上のように構成される床暖房装置の施工は次の順序で行うことができる。
【００２９】
（１）まず、暖房床を施工する箇所に下地材１７を貼る。
【００３０】
（２）部屋の大きさと暖房所要箇所を考慮して下地材１７上に施工すべき電熱マット１（１ａ，１ｂ）の位置を決め、これに応じて電熱マット１のコネクタ２７を取り付けるための孔２８を下地材１７にあけ、電熱マット１を所定位置に配置する。電熱マット１にはあらかじめ小根太１５が取り付けられているので、小根太１５から下地材１７にビス１６を打ち込むことにより、電熱マット１を所定位置に固定することができる。
【００３１】
（３）配線ボックス９を下地材１７の孔２８内に取り付け、電熱マット側ケーブル２６を孔２８から床下に引き出して、コネクタ２７を床下に位置させる。
【００３２】
（４）床下においてコネクタ２７に延長ケーブル４を連結した後、これを下地材１７上に導いて、調整床板１９ｂおよび周辺床板１８ｂの裏側に形成した溝２９に通して壁に導き、固定金具３５で壁内に固定する。このとき、壁側の床下地１７上を通してその一端を孔２８から床下に垂らしておいて、該ケーブル端をコネクタ２７に接続するようにすると、作業を簡便に行うことができる。
【００３３】
（５）壁内に配線した延長ケーブル４を、壁に取り付けたコントローラ３から引き出されるコントローラ側ケーブル５の先端のコネクタ６に連結する。
【００３４】
（６）コントローラ３の操作を介して電熱マット１の通電試験を行い、電熱マット１が正常に作動することを確認する。
【００３５】
（７）電熱マット１の周囲に周辺パネル１８ａ，１８ｂを下地材１７上に施工する。周辺パネル１８ａ，１８ｂの施工は、接着剤、両面テープ、釘打ち、その他任意の固着手段を用いて行うことができる。
【００３６】
（８）雄実２２ａを有する周辺床板１８ｂを壁側から施工する（図１０，図５）。周辺床板の施工は、接着剤、両面テープ、雄実２２ａ部分での釘打ち、その他任意の固着手段を用いて行うことができる。周辺床板は部屋の隅々に行き渡るように施工するので、暖房用床板２が所定の位置に配置されるように周辺床板の使用枚数を決定し、部屋の隅に施工すべき周辺床板については雄実または雌実のいずれか一方を切除するとともに幅調整を行っておき、雌実側を切除した最外側用の周辺床板１８ｂ（図２の上端および図１０の右端に示されるもの）の切除端面を壁下地３１に付き当てるようにして最初に施工した後、順次に実嵌合により所定枚数の周辺床板を施工する。このとき、延長ケーブル４を裏面側の溝２９に入れながら周辺床板１８ｂを施工する。
【００３７】
（９）周辺床板１８ｂの雄実２２ａに調整床板１９ｂの雌実２３ｂを嵌合させることによって調整床板１９ｂを施工する（図１０，図５）。このときも、延長ケーブル４を裏面側の溝２９に入れながら周辺床板１８ｂを施工する。
【００３８】
（１０）次に、調整床板１９ｂの雄実２３ａを暖房用床板２の雌実２０ａに嵌合することによって暖房用床板２を施工し（図１０，図５）、さらに暖房用床板２同士を雄実２０ａと雌実２０ｂとの嵌合を介して所定列数（図示の実施形態では合計６列）の暖房用床板２を順次横継ぎ施工する（図３）。暖房用床板２の施工は、小根太１５が存在する位置において雄実２０ａに釘３６（図８）を打ち込んで小根太１５および下地材１７に固定することによって行うことが好ましい。このとき、小根太１５上に接着剤を塗布しておき、釘と接着剤の併用によって暖房用床板２を固定するようにしてもよい。
【００３９】
（１１）最終列の暖房用床板２の雄実２０ａを調整床板１９ａの雌実２１ｂに嵌合することによって調整床板１９ａを施工し、さらに、周辺床板１８ａの使用枚数および最外側用に幅調整（図１の右下および図２の下端に示される周辺床板１８ａ参照）を行ってから、調整床板１９ａの雄実２１ａを周辺床板１８ａの雌実２２ｂに嵌合することによって周辺床板１８ａを順次施工し（図４）、最後に、雄実側を切除した最外側用の周辺床板１８ａの切除端面を壁下地３１に付き当てるようにして施工する。調整床板１９ａおよび周辺床板１８ａの施工は、調整床板１９ｂおよび周辺床板１８ｂの施工について既述したと同様にして行うことができる。
【００４０】
（１２）最後に壁材３２および幅木３３を施工して、床暖房装置の施工が完了する。
【００４１】
上記のように、この床暖房装置は、大工工事だけで電熱マットの敷設から床仕上げまでの施工を一貫して行うことができ、従来技術のように電気工事との錯綜や干渉を排除して、短期間に効率的に工事を完了させることができる。
【００４２】
床暖房装置の施工完了後、コントローラ３を壁に取り付けるときは、電源コード７をコントローラ３のスクリューレス端子から抜いて外し、代わりに、あらかじめ壁内に配線しておいた電源配線を接続する本工事を行った後、コントローラ３を壁に固定する。
【００４３】
既述の実施形態による床暖房装置は、床面積が大きなリビングダイニングキッチン（ＬＤＫ）などの中央に比較的小さな面積で設置され、その周辺部の面積割合が大きい場合において、調整床板１９ａ，１９ｂを使用することによって、周辺パネル１０（合板３ｍｍ厚）を用いることなく、暖房用床板２の厚さ（９ｍｍ厚）より厚い周辺床板（１２ｍｍ厚）を施工することが可能となり、施工性の向上が図られている。
【００４４】
なお、既述した実施形態では、電熱マット１が存在しない箇所に、電熱マット１を取り巻くように枠状に、電熱マット１と同厚の周辺パネル１０を配置しているが、周辺パネル１０の施工は必須ではない。周辺パネル１０を用いなくても、調整床板１９ａ，１９ｂを介在させることによって、暖房用床板１よりも厚い周辺床板１８ａ，１８ｂの施工が可能となり、施工の簡略化とともに他の部屋との取り合いが容易となる。
【００４５】
図１２および図１３は、本発明の他の実施形態による床暖房装置を示している。この実施形態では、周辺床板として、既述の実施形態における暖房用床板２と同様の暖房用床板２と同厚（９ｍｍ厚）のもの１８ａ’，１８ｂ’を用いており、調整床板１９ａ，１９ｂを不要化している。暖房用床板２の下には電熱マット１が設けられ、電熱マット１が存在しない暖房用床板２および周辺床板１８ａ’，１８ｂ’の下には電熱マット１と同厚（３ｍｍ厚）の周辺パネル１０’が設けられる。この実施形態によると、周辺パネル１０’を電熱マット１のまわりに広く用いることにより、暖房用床板２と周辺床板１８ａ’，１８ｂ’の板厚を同じにして施工性を向上させることができる。この実施形態において、上記以外の構成は既述の実施形態と同位置であるので、同一の部材には同一の符号を付し、詳細な説明を省略する。
【図面の簡単な説明】
【００４６】
【図１】本発明による床暖房装置の一実施形態を床板を一部除いた状態で示す斜視図である。
【図２】この床暖房装置の平面図である。
【図３】この床暖房装置の施工状態を示す図２中Ａ−Ａ断面図である。
【図４】図３におけるＢ部拡大断面図である。
【図５】図３におけるＣ部拡大断面図である。
【図６】図２から床板を除いた状態の平面図である。
【図７】図６における電熱マット部分の詳細図である。
【図８】図７におけるＤ−Ｄ断面図である。
【図９】積層体の拡大断面図である。
【図１０】図２におけるＥ−Ｅ断面図である。
【図１１】図１０に示す部分の平面図である。
【図１２】本発明による床暖房装置の別の実施形態を示す平面図である。
【図１３】図１２におけるＦ−Ｆ断面図である。
【符号の説明】
【００４７】
１（１ａ，１ｂ）  電熱マット
２  暖房用床板
３  コントローラ
４  延長ケーブル
５  コントローラ側ケーブル
６  コネクタ
７  電源コード
８  プラグ
９  配線ボックス
１０  周辺パネル
１２  電気ヒーター線
１７  下地材
１８ａ，１８ｂ，１８ａ’，１８ｂ’  周辺床板
１９ａ，１９ｂ  調整床板
２６  電熱マット側ケーブル
２７  コネクタ
２８  下地材の孔
２９  ケーブル配線溝
【図１】
2005061163.tif 000003
【図２】
2005061163.tif 000004
【図３】
2005061163.tif 000005
【図４】
2005061163.tif 000006
【図５】
2005061163.tif 000007
【図６】
2005061163.tif 000008
【図７】
2005061163.tif 000009
【図８】
2005061163.tif 000010
【図９】
2005061163.tif 000011
【図１０】
2005061163.tif 000012
【図１１】
2005061163.tif 000013
【図１２】
2005061163.tif 000014
【図１３】
2005061163.tif 000015